(57)【要約】【課題】水滴の滞留による増幅機能の低下を抑制できる電気式ホーンを提供すること。【解決手段】ホーンハウジング１０と、これに固定された音波を発生する振動部材１１および渦巻き状の共鳴管２５を備える電気式ホーン１において、濡れ性を有する濡れ性部材２６の一部が、渦巻き状共鳴管２５の音道２５bを区画する壁面２５aのうち鉛直方向で上に凹となる部位に配置され、濡れ性部材２６の他の一部が、共鳴管２５の外部または共鳴管２５の音波出口部２５d近傍に配置されたことを特徴とする。【選択図】図２
2010181599.tif 000002
【特許請求の範囲】
【請求項１】
ホーンハウジングと、これに固定された音波を発生する振動部材および渦巻き状の共鳴管を備える電気式ホーンにおいて、
濡れ性を有する濡れ性部材の一部が、前記渦巻き状共鳴管の音道を区画する壁面のうち鉛直方向で上に凹となる部位に配置され、前記濡れ性部材の他の一部が、前記共鳴管の外部または前記共鳴管の音波出口部近傍に配置されたことを特徴とする電気式ホーン。
【請求項２】
前記濡れ性部材の一部が配置される部位は、前記凹となる部位の鉛直方向最下部である請求項１に記載の電気式ホーン。
【請求項３】
前記濡れ性部材は、前記一部が配置される部位からその部位に滞留する水を毛細管現象で前記一端部まで染み出させる部材である請求項１又は２に記載の電気式ホーン。
【請求項４】
前記濡れ性部材は細長い部材であり、前記壁面が鉛直方向で上に凹となる部位又はその部位の最下部に配置される一部が一端部である請求項１ないし３のいずれか１項に記載の電気式ホーン。
【請求項５】
前記濡れ性部材が前記ホーンハウジングに接して配置される請求項１ないし４のいずれか１項に記載の電気式ホーン。
【請求項６】
前記濡れ性部材は、前記音道に沿うように前記壁面に接して配置される請求項１ないし４のいずれか１項に記載の電気式ホーン。
【発明の詳細な説明】
【技術分野】
【０００１】
本発明は、車両用電気式ホーン（警音器）に関する。特に、渦巻き型の共鳴管を備えた電気式ホーンに関する。
【背景技術】
【０００２】
電気式ホーンは、電磁力により振動する振動板により空気を振動させて疎密波（音波）を作り、共鳴管により増幅させて出射する。つまり、振動板により発生した空気振動は共鳴管内部の通気路（音道）を通って、電気式ホーンの外部に伝達される。
【０００３】
車両用電気式ホーンの場合、雨水、走行時の飛沫、または、洗車時の水が、共鳴管の音波出口部から共鳴管内部に進入する可能性がある。共鳴管内部にこれら水滴が進入すると、音圧等が変化し、一時的に音が小さくなる等の不具合が生じることがある。
【０００４】
そこで、水滴の進入を防ぐことができる電気式ホーンが開発された（例えば、特許文献１参照。）。このホーンは、共鳴管の音波出口部に、その開口部と同じ大きさの板状のキャップを、所定間隔を介して被せた構成となっている。
【先行技術文献】
【特許文献】
【０００５】
【特許文献１】実開平５−７１０４５号公報
【発明の概要】
【発明が解決しようとする課題】
【０００６】
上記従来の電気式ホーンでは、板状のキャップが被せられるため、水滴の進入はかなり防止できるが、音波はキャップと共鳴管の音波出口部との間の隙間を通して出射されるため、出射される音波の音圧が低下してしまう問題があった。
【０００７】
また、キャップと共鳴管の音波出口部との間の隙間を通して入り込んだ水滴が、共鳴管の内部に滞留し、共鳴管の増幅機能が損なわれ電気式ホーンの性能が低下してしまう問題があった。
【０００８】
本発明は、このような事情に鑑みてなされたものであり、音圧の低下を抑制し、且つ、水滴の滞留による増幅機能の低下を抑制できる電気式ホーンを提供することを課題とする。
【課題を解決するための手段】
【０００９】
上記の課題を解決するためになされた本発明の電気式ホーンは、ホーンハウジングと、これに固定された音波を発生する振動部材および渦巻き状の共鳴管を備える電気式ホーンにおいて、濡れ性を有する濡れ性部材の一部が、前記渦巻き状共鳴管の音道を区画する壁面のうち鉛直方向で上に凹となる部位に配置され、前記濡れ性部材の他の一部が、前記共鳴管の外部または前記共鳴管の音波出口部近傍に配置されたことを特徴としている。
【００１０】
また、上記電気式ホーンにおいて、前記濡れ性部材の一部が配置される部位は、前記凹となる部位の鉛直方向最下部であるとよい。
【００１１】
また、上記電気式ホーンにおいて、前記濡れ性部材は、前記一部が配置される部位からその部位に滞留する水を毛細管現象で前記一端部まで染み出させる部材であるとよい。
【００１２】
また、上記電気式ホーンにおいて、前記濡れ性部材は細長い部材であり、前記壁面が鉛直方向で上に凹となる部位又はその部位の最下部に配置される一部が一端部であるとよい。
【００１３】
また、上記電気式ホーンにおいて、前記濡れ性部材が前記ホーンハウジングに接して配置されるとよい。
【００１４】
また、上記電気式ホーンにおいて、前記濡れ性部材は、前記音道に沿うように前記壁面に接して配置されるとよい。
【発明の効果】
【００１５】
濡れ性を有する濡れ性部材の一部が、前記渦巻き状共鳴管の音道を区画する壁面のうち鉛直方向で上に凹となる部位に配置され、前記濡れ性部材の他の一部が、前記共鳴管の外部または前記共鳴管の音波出口部近傍に配置されているので、共鳴管の壁面が上に凹となる部位に滞留する水が濡れ性部材をつたって共鳴管外に排出される。その結果、水の滞留による共鳴管の増幅機能の低下が抑制される。また、共鳴管の音波出口部にキャップがないので、音圧低下も抑制される。
【００１６】
濡れ性部材の一部が配置される部位が前記凹となる部位の鉛直方向最下部であると、滞留する水を最後の一滴まで排出することができる。
【００１７】
濡れ性部材がその一部が配置される部位からその部位に滞留する水を毛細管現象で一端部まで染み出させる部材であると、断面積が小さくても滞留する水を効率よく排出することができる。その結果、共鳴管の増幅機能が損なわれない。
【００１８】
濡れ性部材が細長い部材であり、前記壁面が鉛直方向で上に凹となる部位又はその部位の最下部に配置される一部が一端部であると、壁面が上に凹となる部位に滞留する水が共鳴管外に早く排出される。
【００１９】
濡れ性部材がハウジングに接するように配置されていると、濡れ性部材による共鳴管の増幅機能の低下が一層抑制される。
【００２０】
濡れ性部材が音道に沿うように壁面に接して配置されると、濡れ性部材による共鳴管の増幅機能の低下が最小化される。
【図面の簡単な説明】
【００２１】
【図１】本発明に係る電気式ホーン１の正面視図である。
【図２】図１のＡ−Ａ線断面図である。
【図３】変形態様の電気式ホーン１の正面視図である。
【図４】別の変形態様の電気式ホーン１の正面視図である。
【発明を実施するための形態】
【００２２】
本発明の実施形態を図面を参照して詳しく説明する。図１は、車両のフロントグリルに取り付けた本発明に係る電気式ホーン１の正面視図である。図２は、図１のＡ−Ａ線断面図である。
【００２３】
１０は、ホーンハウジングであり、ベースハウジング１０aとフロントカバー１０bとからなる。ベースハウジング１０aには、板状の振動部材１１を振動させる電磁石１２、固定鉄心２１、他が収容されている。
【００２４】
ベースハウジング１０aには、車両（不図示）に取り付けるためのステー２２が固定されている。
【００２５】
電磁石１２には、ボビン１３に巻回されたコイル１４が備えられており、このボビン１３の中心穴部に可動鉄心１５の右部が配置されている。この可動鉄心１５の左部には、振動部材１１の中央部がカシメ固定されている。振動部材１１の外周端部は、ベースハウジング１０aの外周端部に巻締め固定されている。
【００２６】
フロントカバー１０bの外周端部が、ベースハウジング１０aの外周端部に振動部材１１の外周端部の上から重ねるように巻締め固定されている。フロントカバー１０bの中心部には、開口部１０cが設けられている。
【００２７】
渦巻き型共鳴管２５は、振動部材１１の振動により発生する空気の疎密波（音波）を増幅する音道２５bを区画する壁面２５aを備え、フロントカバー１０bに固定されている。音道２５bは、略矩形断面を持ち、矩形断面の一辺（図２の右辺）がフロントカバー１０bで構成されている。
【００２８】
共鳴管２５は、中央部に振動部材１１の音波が入射される入口部２５cを、下端部に音波出口部２５dを有している。音道２５bは、入口部２５cを中心として壁面２５aで渦巻き状に区画されている。
【００２９】
細長い濡れ性部材２６は、共鳴管２５の壁面２５aのうち鉛直方向で上に凹となる部位イにその他端部が配置され、一端部が共鳴管２５の音波出口部２５d近傍に配置されている。
【００３０】
濡れ性部材２６は、毛細管現象で水を吸い上げる部材であり、たとえば、ガーゼや凧糸等の繊維性素材等である。濡れ性部材２６の上端付近が壁面２５aの側端とフロントカバー１０bの上面とで狭持されて固定され、濡れ性部材２６の中間部がフロントカバー１０bに接するように配置されている。
【００３１】
上記のような、構造をしているので、フロントカバー１０bの開口部１０cから伝えられる音波（空気振動）は、共鳴管２５の音道２５bを伝搬しながら増幅されて音波出口部２５dから外方に出射される。
【００３２】
たとえば、雨天走行時に音波出口部２５dから入り込んだ水の殆どは、最終的に音道を区画する壁面２５aが鉛直方向で上に凹となる部位イに滞留（滞留水Ｗ）するが、停車時或いは雨が上がってから濡れ性部材２６の毛細管現象により除去される。
【００３３】
濡れ性部材２６が音道２５bの内壁に沿うように配置されているので、共鳴管２５の増幅機能の低下が殆どない。
【００３４】
なお、本実施形態の電気式ホーン１では、濡れ性部材２６にガーゼや凧糸等の繊維性素材を用いたが、目の細かい連立発泡スポンジ或いはストローやキャピラリーチューブ等でもよい。
【００３５】
また、本実施形態の電気式ホーン１では、出口部２５dから奥深く入り込んだ水は、ベースハウジング１０aの開口部１０cからベースハウジング１０aの中に流れ込むが、それら水の量は僅かで、電気式ホーンの性能低下をもたらすことは殆どない。
【００３６】
ベースハウジング１０aの中へ水が流れ込むのを完全に防ぐには、音道を区画する壁面２５aが鉛直方向で上に凹となる部位ロにも水が滞留するように、たとえば点線で示す防水壁２５eを形成し、濡れ性部材２６を部位ロまで延在させればよい（図２参照）。
【００３７】
また、濡れ性部材２６の端部を図３に示すように壁面２５aが鉛直方向で上に凹となる部位の最下部ハに位置させ、他端部を最短で共鳴管外に出すとよい。こうすることで、滞留する水を最後の一滴まで早く排出することができる。
【００３８】
また、図４に示すように、濡れ性部材２６を最短で共鳴管外に出さないで、壁面２５aに沿わせて他端部を鉛直方向に垂れ下がらせてもよい。こうすることで、垂れ下がり部から水分が蒸発して滞留する水を効率よく排出することができる。外部から濡れ性部材２６が見えないので、電気式ホーンの意匠性が損なわれることがない。
【符号の説明】
【００３９】
１・・・・・・・・電気式ホーン
１０・・・・・・ホーンハウジング
１０b・・・・ フロントカバー
１１・・・・・・振動部材
２５・・・・・・渦巻き型共鳴管
２５a・・・壁面
２５b・・・音道
２５d・・・音波出口部
２６・・・・・・濡れ性部材
【図１】
2010181599.tif 000003
【図２】
2010181599.tif 000004
【図３】
2010181599.tif 000005
【図４】
2010181599.tif 000006